(57)【要約】      （修正有）【課題】有機固形廃棄物の原料を無酸素熱分解し、更に、賦活処理にて得られた活性炭又は活性炭化物を主体にした健康チューブを提供する。【解決手段】フェノール樹脂を除く有機固形廃棄物を無酸素乾留熱分解物とし、この無酸素乾留熱分解物を賦活処理により生成された活性炭又は活性炭化物を中空状の可撓性部材内に充填してなる健康チューブである。これにより、マイナスイオン効果や遠赤外線効果を受けることができる。【選択図】図１
0003147403.tif 000002
【実用新案登録請求の範囲】
【請求項１】
フェノール樹脂を除く炭化水素を主要成分とする人工高分子化合物あるいはフェノール樹脂を除く炭化水素を主要成分とする有機固形廃棄物を無酸素乾留熱分解して得られる無酸素乾留熱分解物である一次の活性炭又は活性炭化物と、前記無酸素熱分解して得られる前記無酸素乾留熱分解物である前記一次の活性炭又は活性炭化物を更に賦活化処理して得られる二次の活性炭又は活性炭化物とのうち少なくとも一種からなる活性炭又は活性炭化物を中空状の可撓性部材内に充填したことを特徴とする健康チューブ。
【請求項２】
フェノール樹脂を除く炭化水素を主要成分とする人工高分子化合物あるいはフェノール樹脂を除く炭化水素を主要成分とする有機固形廃棄物を無酸素乾留熱分解して得られる無酸素乾留熱分解物である一次の活性炭又は活性炭化物と、前記無酸素熱分解して得られる前記無酸素乾留熱分解物である前記一次の活性炭又は活性炭化物を更に賦活化処理して得られる二次の活性炭又は活性炭化物とのうち少なくとも一種からなる活性炭又は活性炭化物を両端開口部を有する中空状の可撓性部材内に充填し、内部充填物が漏出しないように前記両端開口部を接着剤や熱融着等により密閉、且つ、互いに密着させ、その密着部分の外側に固定具を被着固定させ、前記固定具により前記中空状の可撓性部材の両端部が抜け出るのを防止してなる健康チューブ。
【請求項３】
フェノール樹脂を除く炭化水素を主要成分とする人工高分子化合物あるいはフェノール樹脂を除く炭化水素を主要成分とする有機固形廃棄物を無酸素乾留熱分解して得られる無酸素乾留熱分解物である一次の活性炭又は活性炭化物と、前記無酸素熱分解して得られる前記無酸素乾留熱分解物である前記一次の活性炭又は活性炭化物を更に賦活化処理して得られる二次の活性炭又は活性炭化物とのうち少なくとも一種からなる活性炭又は活性炭化物を両端開口部を有する中空状の可撓性部材内に充填し、前記両端開口部を繋ぐように所定長さの細い銅線の束の一方端部に前記可撓性部材の一方端部を外嵌させ、前記所定長さの細い銅線の束の他方端部に前記可撓性部材の他方端部を外嵌させ、前記中空状の可撓性部材の両端部を当接させて繋ぎ、前記中空状の可撓性部材の両端部の繋ぎ目の外側に金属製のパイプを被着させ、前記金属製のパイプの両端部径を少し収縮させて前記中空状の可撓性部材の両端部が抜け出るのを防止してなる健康チューブ。
【請求項４】
フェノール樹脂を除く炭化水素を主要成分とする人工高分子化合物あるいはフェノール樹脂を除く炭化水素を主要成分とする有機固形廃棄物を無酸素乾留熱分解して得られる無酸素乾留熱分解物である一次の活性炭又は活性炭化物と、前記無酸素乾留熱分解して得られる前記無酸素乾留熱分解物である前記一次の活性炭又は活性炭化物を更に賦活化処理して得られる二次の活性炭又は活性炭化物とのうち少なくとも一種からなる活性炭又は活性炭化物を両端開口部を有する中空状の可撓性部材内に充填し、内部充填物が漏出しないように前記両端開口部を接着剤や熱融着等により密閉し、密閉部分をこのまま、あるいは密閉部分に装飾用カバーを装着し、長手方向に二つ折りにした前記中空状の可撓性部材の中間部にアジャスターを装着してなる健康チューブ。
【請求項５】
前記中空状の可撓性部材がチューブ形の管状合成樹脂であることを特徴とする請求項１乃至４の何れかに記載の健康チューブ。
【請求項６】
前記中空状の可撓性部材が同一平面上に形成される環状あるいは直線状の断面が円形、楕円形、三角形あるいは方形の合成樹脂であることを特徴とする請求項１乃至５の何れかに記載の健康チューブ。
【請求項７】
前記一次又は二次の少なくとも一種からなる活性炭又は活性炭化物にトルマリン及び／又はゲルマニウムを混入させたことを特徴とする請求項１乃至６の何れかに記載の健康チューブ。
【請求項８】
前記一次又は二次の少なくとも一種からなる活性炭又は活性炭化物に少なくとも１つの遷移元素または遷移元素の塩類又は遷移元素の酸化物を混入させたことを特徴とする請求項１乃至７の何れかに記載の健康チューブ。
【考案の詳細な説明】
【技術分野】
【０００１】
本考案は、マイナスイオン効果及び遠赤外線効果を有する活性炭化物を用いた健康チューブに関する。
【背景技術】
【０００２】
近年、地球温暖化、環境汚染や食の安全性等の問題により、社会における健康志向が一層高まる状況の中、自然界において森林の中や滝壷の近傍の空中にはマイナスイオンが多く、これが健康に良いと言われている。
【０００３】
ところで、木炭、竹炭等の活性炭においてマイナスイオン発生作用と共に遠赤外線発生作用が判明しつつあるため、その活用に注目が集まっている。即ち、マイナスイオンは、生体の細胞を活性化し自律神経や内分泌機能を調整して人体の精神安定、免疫力向上、疲労軽減などの所謂マイナスイオン効果を奏すると言われている。同様に、遠赤外線が人体の皮下深層の温度の上昇や、微細血管の拡張、血行促進、新陳代謝の強化などの所謂遠赤外線効果を奏すると言われている。
【０００４】
これらのマイナスイオン効果や遠赤外線効果を有する活性炭を使用した繊維等を使用して製造された衣料や寝装具又は、サポータ、マスク等と言った健康具に関する提案がされている（例えば特許文献１、２参照）。
【０００５】
【特許文献１】実用新案登録３０８２１２７号公報
【特許文献２】特開２００４−１６０１３５号公報
【考案の開示】
【考案が解決しようとする課題】
【０００６】
上記した特許文献１に記載されているのは、フェノール系活性炭素繊維（フェノール繊維等使用）を使用して製造するマイナスイオン効果や遠赤外線効果を利用した繊維製の健康具である。これは水ぬれや汗等には湿ってしまうという不具合があり、しかもこのフェノール系活性炭素繊維使用の健康具の製造に工数が多くかかり、そのために高価なものとなっていた。
【０００７】
特許文献２に記載されているのは、身体に装着可能なリング状に成形されたシリコンゴム製のチューブ内にトルマリン（別名「電気石」とも呼ぶ）が充填され、かつこのチューブにトルマリンの微粉末が練り込まれていることを特徴とするチューブ状健康リングである。このチューブ状健康リングの製造にも工数が多くかかり、且つ、素材的にも高価なものとなっていた。
【０００８】
本考案は、このような点に鑑みてなされたものであり、その目的は、フェノール樹脂を除く炭化水素を主要成分とする有機固形廃棄物（例えば、炭化水素を主体とする人工高分子化合物である廃タイヤ等のプラスチック製品廃棄物を裁断したチップ状裁断物）の原料を無酸素熱分解して得られる無酸素乾留熱分解物である一次の活性炭又は活性炭化物と、前記無酸素熱分解して得られる前記一次の活性炭又は活性炭化物を更に賦活化処理して得られる二次の活性炭又は活性炭化物とのうち少なくとも一種からなる活性炭又は活性炭化物を、中空状の可撓性部材内に充填したことを特徴とする健康チューブを提供することにある。
【課題を解決するための手段】
【０００９】
上述の目的を達成するために、本考案に関わる請求項１の考案は、フェノール樹脂を除く炭化水素を主要成分とする人工高分子化合物あるいはフェノール樹脂を除く炭化水素を主要成分とする有機固形廃棄物を無酸素乾留熱分解（乾留炉内にて２００℃〜６００℃の高温ガスで仕切ドラム壁を介して間接加熱する）して得られる無酸素乾留熱分解物である一次の活性炭又は活性炭化物と、前記一次の活性炭又は活性炭化物を更に賦活化処理（賦活炉内にて９００℃〜１０００℃の高温ガスと水蒸気にて直接加熱する）して得られる二次の活性炭又は活性炭化物とのうち、前記一次又は二次、あるいは一次と二次の混合物の何れかの活性炭又は活性炭化物を中空状の可撓性部材内に充填したことを特徴とする健康チューブである。
【００１０】
上記請求項１の考案の場合、フェノール樹脂を除いた高分子化合物の無酸素乾留熱分解物である一次の活性炭又は活性炭化物と、前記一次の活性炭又は活性炭化物を更に賦活化処理して得られる二次の活性炭又は活性炭化物とのうち少なくとも一種からなる活性炭又は活性炭化物を中空状の可撓性部材内部に収容した健康チューブである。この一次又は二次、あるいは一次と二次の混合物の何れかの活性炭又は活性炭化物において、炭素の純度は、竹炭や稲藁活性炭の炭素の純度よりかなり高い（炭素の純度は９４．４％である）。即ち、この一次又は二次、あるいは一次と二次の混合物の何れかの活性炭又は活性炭化物は、陽イオンの吸着能力が極めて強いため、この健康チューブの周囲は相対的に陰イオン（いわゆるマイナスイオンとも言う）が多い状態となる。この健康チューブは、表面が中空状の可撓性部材製であるために伸縮性があり、身体装着や取り外しが容易であったり、身体に違和感なく馴染みやすくて良い感触の健康チューブである。そして、この健康チューブを身体に装着して使用することにより、生体の細胞を活性化し自律神経や内分泌機能を調整して人体の精神安定、免疫力向上、疲労軽減などの効果（マイナスイオン効果）を受けることが可能である。
【００１１】
請求項２の考案は、フェノール樹脂を除く炭化水素を主要成分とする人工高分子化合物あるいはフェノール樹脂を除く炭化水素を主要成分とする有機固形廃棄物を無酸素乾留熱分解して得られる無酸素乾留熱分解物である一次の活性炭又は活性炭化物と、前記一次の活性炭又は活性炭化物を更に賦活化処理して得られる二次の活性炭又は活性炭化物と、一次と二次の混合物とのうち何れかの活性炭又は活性炭化物を両端開口部を有する中空状の可撓性部材内に充填し、内部充填物が漏出しないように前記両端開口部を接着剤や熱融着等により密閉し、且つ、これ等の密閉両端部を互いに当接させ、その当接部分の外側に金属製あるいはプラスチック製等の固定具を被着固定させ、この固定具により前記中空状の可撓性部材の両端部が抜け出るのを防止してなる健康チューブである。
【００１２】
上記請求項２の考案の場合、上記請求項１と同様な作用効果を有する他に、更に、前記一次又は二次、あるいは一次と二次の混合物の何れかの活性炭又は活性炭化物を両端開口部を有する中空状の可撓性部材内に充填し、内部充填物が漏出しないように前記両端開口部を接着剤や熱融着等により密閉し、且つ、これ等の密閉両端部を互いに当接させ、その当接部分の外側に金属製あるいはプラスチック製等の固定具を被着固定させた健康チューブであり、身に付けた場合に装飾性が発揮されて便利である。
【００１３】
上記請求項３の考案は、前記一次又は二次、あるいは一次と二次の混合物の何れかの活性炭又は活性炭化物を前記両端開口部を有する中空状の可撓性部材内に充填し、内部充填物が漏出しないように前記両端開口部を密閉することにおいて、前記両端開口部を繋ぐように所定長さの細い銅線の束の一方端部に前記可撓性部材の一方端部を外嵌させ、前記所定長さの細い銅線の束の他方端部に前記可撓性部材の他方端部を外嵌させ、前記中空状の可撓性部材の両端部を当接させて繋ぎ、この中空状の可撓性部材の両端部の繋ぎ目の外側に金属製のパイプを被着させ、この金属製のパイプの両端部径を少し収縮させて前記中空状の可撓性部材の両端部が抜け出るのを防止してなる健康チューブである。
【００１４】
上記請求項３の考案の場合、上記請求項１，２と同様な作用効果を有する他に、更に、この健康チューブは、特別な治具等が不要であり製造が容易且つ安価である。
【００１５】
前記請求項４の考案は、フェノール樹脂を除く炭化水素を主要成分とする人工高分子化合物あるいはフェノール樹脂を除く炭化水素を主要成分とする有機固形廃棄物を無酸素乾留熱分解して得られる無酸素乾留熱分解物である一次の活性炭又は活性炭化物と、前記一次の活性炭又は活性炭化物を更に賦活化処理して得られる二次の活性炭又は活性炭化物と一次と二次の混合物とのうち何れかの活性炭又は活性炭化物を両端開口部を有する中空状の可撓性部材内に充填し、内部充填物が漏出しないように前記両端開口部を接着剤や熱融着等により密閉し、この密閉状態のまま、あるいはこの密閉部に装飾用カバーを装着し、アジャスターを備えた健康チューブである。
【００１６】
請求項４の考案の場合、この健康チューブをループタイやネックレスとして使用することにより、請求項１乃至３項に記載の考案と同様の作用効果を発揮することが出来る。
【００１７】
請求項５の考案は、前記両端開口部を有する前記中空状の可撓性部材がチューブ形の合成樹脂であることを特徴とする請求項１乃至４の何れかに記載の健康チューブである。
【００１８】
請求項５の考案の場合、この健康チューブは、表面が中空状の可撓性部材がチューブ形の合成樹脂であるために伸縮性があり、身体装着や取り外しが容易であったり、身体に違和感なく馴染みやすくて良い感触の健康チューブである。この健康チューブを身体に付けて使用することにより、請求項１乃至４項に記載の考案と同様の作用効果を発揮することが出来る。
【００１９】
請求項６の考案は、前記両端開口部を有する前記中空状の可撓性部材が同一平面上に形成される環状あるいは直線状の断面が円形、楕円形、三角形あるいは方形の合成樹脂であることを特徴とする請求項１乃至５の何れかに記載の健康チューブである。
【００２０】
請求項６の考案の場合、同一平面上に形成される環状あるいは直線状の健康チューブである。この健康チューブをネックレス、ブレスレット、アームレット、ヘッドバンド、腰痛ベルトや紐タイ等として身体に付けて使用すれば前記請求項１乃至５の考案と同様の作用効果を発揮することが出来ると共に、断面が円形、楕円形、三角形あるいは方形の合成樹脂であるので、一層装飾性が高まり楽しい気分にさせて気持ちが良い。
【００２１】
請求項７の考案は、前記一次又は二次、あるいは一次と二次の混合物の何れかの活性炭又は活性炭化物にトルマリン及び／又はゲルマニウムを混入させたことを特徴とする請求項１乃至６の何れかに記載の健康チューブである。
【００２２】
請求項７の考案の場合、上記一次又は二次、あるいは一次と二次の混合物の何れかの活性炭又は活性炭化物に、陰イオンを放出する特性のある自然石のトルマリンである所謂「電気石」及び／又はゲルマニウムをある一定の割合で混合することにより、両者または三者の特性が増強されることを見いだした。即ち、前記一次又は二次、あるいは一次と二次の混合物の何れかの活性炭あるいは活性炭化物とトルマリンである所謂「電気石」及び／又はゲルマニウムとによる陰イオンの放出を持続的に発揮させる作用効果（マイナスイオン効果）がある。この健康チューブを身体に付けて用いれば、前記請求項１乃至６の考案の一層強化された作用効果を発揮することが出来て、便利である。
【００２３】
請求項８の考案は、前記一次又は二次、あるいは一次と二次の混合物の何れかの活性炭又は活性炭化物と、少なくとも１つの遷移元素又は遷移元素の塩類又は遷移元素の酸化物を混入させたことを特徴とする前記請求項１乃至７の何れかに記載の健康チューブである。
【００２４】
請求項８の考案の場合、前記一次又は二次、あるいは一次と二次の混合物の何れかの活性炭又は活性炭化物と、陰イオンを放出する特性のある自然石のトルマリンである所謂「電気石」及び／又はゲルマニウムと、「遷移元素」とを、ある一定の割合で混合することにより、遷移元素は、前記一次又は二次、あるいは一次と二次の混合物の何れかの活性炭又は活性炭化物が吸着した陽イオンを健康チューブの外部に放出する掃除屋（スキャベンジャー）の作用をし、前記一次又は二次、あるいは一次と二次の混合物の何れかの活性炭又は活性炭化物と「電気石」及び／又はゲルマニウムとによる陰イオンの放出を持続的に発揮させる作用効果（マイナスイオン効果）がある。この健康チューブを身体に用いれば前記請求項１乃至７の考案の一層強化された作用効果を発揮することが出来て、便利である。
【考案を実施するための最良の形態】
【００２５】
第１の実施の形態について、図１を参照して説明する。図１は、健康チューブ１の外観斜視図である。
まず、フェノール樹脂を除いた人工高分子化合物である廃タイヤ等のプラスチック製品廃棄物をチップ状に裁断した原料を、無酸素熱分解炉（乾留炉）内の第１の仕切ドラム内に投入する。そして、前記原料を、ガス燃焼処理装置から送られる２００〜６００℃の高温ガスにより前記第１の仕切ドラム壁を介して数時間〜８時間程度の間に間接加熱し、無酸素状態で熱分解（乾留）させて、その一次炭化物として活性炭又は活性炭化物を取り出す。更に、この一次炭化物を、内部に窒素ガスを充満した賦活処理装置（賦活炉）内の第２の仕切ドラム内に窒素ガスと置換しながら投入し、搬送させながら、９００〜１０００℃の高温ガスと水蒸気で直接過熱する。こうして前記第２の仕切ドラム内にて数時間の間に賦活化処理させ、気体成分を分離後に細孔を増やして比表面積を大きくしてなる二次炭化物としての活性炭又は活性炭化物（炭素の純度は９４．４％である）を取り出す。
【００２６】
次に、無酸素乾留熱分解して得られる無酸素乾留熱分解物である一次炭化物としての活性炭又は活性炭化物、又は、前記無酸素熱分解して得られる前記無酸素乾留熱分解物である前記一次炭化物としての活性炭又は活性炭化物を、更に賦活化処理して得られる二次炭化物としての活性炭又は活性炭化物を取り出す。これら一次又は二次、あるいは一次と二次の混合物の何れかの活性炭又は活性炭化物を、両端開口部を有する中空状の可撓性部材（例えばシリコンチューブ、アクリルチューブ、ポリプロピレンチューブ、合成ゴムチューブ）１ａ内に充填し、更に、この可撓性部材１ａの左右の両端部を繋ぐように所定の長さの複数の細い銅線から成る束４の一方端部に前記可撓性部材１ａの一方端部を外嵌させ、前記所定長さの細い銅線の束４の他方端部に前記可撓性部材１ａの他方端部を外嵌させ、前記中空状の可撓性部材１ａの両端開口部を互いに当接させて繋ぎ密閉し、この中空状の可撓性部材１ａの両端開口部の繋ぎ目の外側に金属製のパイプ（厚さ０．６mm、内径５mm、長さ２５mmのステンレス製のパイプ）３を被着させ、この金属製のパイプ３の両端部径を内側に少し収縮させて前記中空状の可撓性部材１ａの両端部が抜け出るのを防止する。
【００２７】
この健康チューブ１は、特別な治具等が不要であり製造が容易且つ安価である。更に、この健康チューブ１は、表面が中空状の可撓性部材製であるために伸縮性があり、身体装着や取り外しが容易である。この健康チューブ１の断面が円形、楕円形、三角形あるいは方形の合成樹脂であるので、一層装飾性が高まり楽しい気分にさせて気持ちが良い。
【００２８】
ところで、従来から、炭素は陽イオンを吸着することが知られている。室内空気や環境大気中には、同じ個数の陽イオンと陰イオンが存在し、炭素が陽イオンを吸着すると、相対的に陰イオンの個数が多くなる。陰イオンは、周囲の粒子などと結合して、マイナスイオンを形成する。従って、マイナスイオンを計測することによって、逆に、炭素の陽イオン吸着能を調べることが出来る。
【００２９】
表１は、各種炭素の陽イオン吸着能を調査した結果である。各種炭素をポリエチレン製袋に入れ空中に吊し、袋から３cmの距離におけるマイナスイオンの個数を計測し、それを陽イオンの吸着個数とした。使用した測定器は、（株）佐藤商事製イオン測定器ＡＣＩ―１００である。
【００３０】
【表１】
0003147403.tif 000003
【００３１】
表１における稲藁無酸素乾留物や竹無酸素乾留物は、本願炭化物と同様に、裁断した稲藁や竹材をそれぞれ原料として、無酸素熱分解炉（乾留炉）内の第１の仕切ドラム内に投入し、ガス燃焼処理装置から送られる２００〜６００℃の高温ガス（ここでは５００℃の高温ガス）により前記第１の仕切ドラム壁を介して数時間〜８時間程度の間に間接加熱し、無酸素状態で熱分解（乾留）させて、取出した一次炭化物である。勿論、表１における本願炭化物も一次炭化物である。
【００３２】
また、表１におけるヤシガラ活性炭は、裁断したヤシガラを原料として低炭素濃度で燻らして加熱乾留（蒸し焼き）させて、取出したこの一次炭化物を更に賦活処理装置（賦活炉）内に投入し搬送させながら、９００〜１０００℃の高温ガスと水蒸気で直接前記第２の仕切ドラム内にて数時間の間に賦活処理させ、細孔を増やし比表面積を大きくして気体成分を分離後、取出してなる二次炭化物である。この二次炭化物は、一次炭化物に比べて、臭気物質等の吸着能、陽イオン吸着能が、極めて強くなっている。
【００３３】
表１に示すように、稲藁無酸素乾留物と竹無酸素乾留物は、本願炭化物と同じように、無酸素状態で稲藁と竹を乾留したものである。比表面積を広げる賦活化処理をしていないが、それぞれ、１，４４５個／ｃｃと１，６１６個／ｃｃの強い陽イオン吸着能を持つことが判る。これは従来の酸素濃度を低くして燻らして加熱乾留（蒸し焼き）と違って、陽イオン吸着能の強い炭素（炭化物、乾留物）を製造するのに適した方法である。
しかし、従来の蒸し焼きで製造され賦活化処理によって比表面積を大きくしたヤシガラ活性炭の陽イオン吸着能は、２，８７０個／ｃｃであり、稲藁無酸素乾留物や竹無酸素乾留物よりも約２倍も強い陽イオン吸着能を持っている。
一方、本願炭化物は、勿論、賦活化処理を施していないが、陽イオン吸着能が４，１３４個／ｃｃであり、ヤシガラ活性炭の１．４倍も強い陽イオン吸着能を持っている。
表１に示すように、相対陽イオン吸着能は、稲藁無酸素乾留物：１００、竹無酸素乾留物：１１２、ヤシガラ活性炭：１９９、本願炭化物：２８６となる。
このように、本考案の健康チューブの素材として使用する本願炭化物は、極めて強い陽イオン吸着特性がある。
【００３４】
本考案の健康チューブに使用している活性炭又は活性炭化物は、陽イオンの吸着能力が極めて強いため、この健康チューブ１の周囲は相対的に陰イオンが多い状態となる。人の体内では栄養素を酸化してエネルギーを産生し、このエネルギーを利用して電界と磁界が交互に発生し、その結果、細胞の内部と外部で電位差ができている。細胞はこの電位差を利用して活動している。この電位差をとらえたのが、心電図、筋電図、脳波等である。人間や動物などのすべての生物は、赤外線を放出している。体内で栄養素を酸化分解し、得たエネルギーを電気エネルギーとしている。赤外線はその一部である。赤外線、可視光線、紫外線、遠赤外線、放射線などは電磁波と呼ばれる電気エネルギーであり、これらの電磁波は、電界と磁界を相互に作ることができる。
【００３５】
以上のように人体は、エネルギーを電気エネルギーに代えて利用している。このような電界と磁界発生している状態に、本考案の健康チューブ１でイオンの偏りを作ると、人体の磁界により一定の方向に動かすように力が加わる。いわゆる「フレミングの左手の法則」と呼ばれる作用である。即ち、これは、電磁力の方向を知るための法則である。左手の親指、人差し指、中指をいずれも互いに直角になるように開き、人差し指を磁界の方向に、中指を電流の方向に合わせると、親指の方向が電磁力の方向を示すことになる。これにより解る電磁力の作用により、生体内の血液がより早い速度で移動することになる。これが本考案の健康チューブ１の血流増加作用の原理である。よって、このような本考案の健康チューブ１は、腕輪やネックレスや足首用の足輪等に用いることにより、活性炭又は活性炭化物のマイナスイオンによって生体の細胞を活性化し自律神経や内分泌機能を調整して人体の精神安定、免疫力向上、疲労軽減などの効果（マイナスイオン効果）を得られる。同様に、活性炭又は活性炭化物の遠赤外線により、人体の皮下深層の温度の上昇や、微細血管の拡張、血行促進、新陳代謝の強化などの効果（遠赤外線効果）を得ることができて、健康の維持増進に良い。
【００３６】
第２の実施の形態について、図２を参照して説明する。図２は、エンドレスのベルト状の健康チューブ１１の外観斜視図である。フェノール樹脂を除いた高分子化合物を無酸素熱分解させた乾留物を更に賦活処理して得られた活性炭又は活性炭化物２を断面長方形のシリコンチューブ１１ａ内に充填収容した健康チューブ１１である。そして、このシリコンチューブ１１ａの両端部を密閉して繋ぐのは、前記第１の実施の形態と同様である。例えば、細い銅線の束１４を通して、シリコンチューブ１１ａの両端部を当接させ、更に、このシリコンチューブ１１ａの両端部の繋ぎ目の外側に、ステンレス製のパイプ１３（厚さ０．６ｍｍ、長さ２５ｍｍ）を被せるように挿入させ、このパイプ１３の両端部を少し収縮させることにより、このシリコンチューブ１１ａの両端部の繋ぎ目が抜けないようになり、これにてエンドレスのベルト状の健康チューブ１１の出来上がりである。
【００３７】
このエンドレスのベルト状の健康チューブ１１を、腕輪や腰輪やネックレスや足首用の足輪等に用いることにより、上記第１の実施態様の健康チューブ１と同様の作用効果を発揮することが出来て便利である。そして、この健康チューブ１１は、特別な治具等が不要であり製造が容易且つ安価である。更に、この健康チューブ１１は、表面が中空状の可撓性部材製であるために伸縮性があり、身体装着や取り外しが容易である。
【００３８】
第３の実施の形態について、図３を参照して説明する。図３は、同一平面上に形成される環状の健康チューブ２１の外観斜視図である。フェノール樹脂を除いた高分子化合物を無酸素熱分解の乾留物とし、更に賦活処理にて得られた活性炭又は活性炭化物２を、断面長方形のシリコンチューブ２１ａの内部に収容した健康チューブ２１である。そして、シリコンチューブ２１ａの両端部を繋ぐのは、前記第１の実施の形態と同様である。例えば、細い銅線の束２４を通して、シリコンチューブ２１ａの両端部を当接させ、更に、このシリコンチューブ２１ａの両端部の繋ぎ目の外側に、ステンレス製のパイプ２３（厚さ０．６ｍｍ、長さ２５ｍｍ）を被せるように挿入させ、このパイプ２３の両端部を少し収縮させることによって、繋ぎ目が抜けないようになり、これにて同一平面上に形成される環状の健康チューブ２１の出来上がりである。
【００３９】
第３の実施の態様の健康チューブ２１をネックレスに用いれば、上記第１、第２の実施例の健康チューブ１，１１と同様の作用効果を発揮することが出来て便利である。そして、この健康チューブ２１は、特別な治具等が不要であり製造が容易且つ安価である。更に、この健康チューブ２１は、表面が中空状の可撓性部材製であるために伸縮性があり、身体装着や取り外しが容易である。
【００４０】
第４の実施の態様について、図４は、健康チューブ（ループタイ）３１を示す図である。両端開口部を有する中空状の可撓性部材（例えばシリコンチューブ、アクリルチューブ、ポリプロピレンチューブ、合成ゴムチューブ）３１ａの中に、前記一次又は二次、あるいは一次と二次の混合物の何れかの活性炭又は活性炭化物３２を充填して、途中にアジャスター３６を取り付けて、更に、前記中空状の可撓性部材３１ａの両端開口部を接着剤や熱溶着等で密閉し、この両端部にそれぞれ装飾用カバー３５，３５を設けて成るループタイ３１である。前記活性炭又は活性炭化物３２に、陰イオンを放出する特性のある自然石のトルマリンである所謂「電気石」及び／又はゲルマニウムをある一定の割合で混合することにより、両者の特性（マイナスイオン発生の効果）が増強されることを見出している。また、図４において、両端部にそれぞれ装飾用カバー３５，３５を設けず、前記中空状の可撓性部材３１ａの両端開口部を接着剤や熱溶着等で密閉したままであったり、アジャスター３６を使用しないで、紐タイとすることも可能であり、安価に出来て、しかも、健康に良くて便利である。
【００４１】
第５の実施の態様について、前記活性炭又は活性炭化物に、陰イオンを放出する特性のある自然石のトルマリンである所謂「電気石」及び／又はゲルマニウムをある一定の割合で混合することにより両者の特性が増強されることを見出している。そして、この健康チューブは、特別な治具等が不要であり製造が容易且つ安価である。更に、この健康チューブは、表面が中空状の可撓性部材製であるために伸縮性があり、身体装着や取り外しが容易である。そして、付属性能として、これを化合物の構造解析に使用する核磁気共鳴装置を用いて、前記活性炭又は活性炭化物と「電気石」及び／又はゲルマニウムとの混合物の測定結果から、「水のクラスターを小さくする微細効果」や「ガソリンなどの脂溶性物質への強い帯電作用」などの特性も持ち合わせていることが判っている。
【００４２】
また、第６の実施の態様について、前記活性炭又は活性炭化物と、「電気石」及び／又はゲルマニウムと、「遷移元素」とを、ある一定の割合で混合することにより、遷移元素は、前記活性炭又は活性炭化物２が吸着した陽イオンを健康チューブの外部に放出する掃除屋（スキャベンジャー）の作用をし、前記活性炭又は活性炭化物と「電気石」及び／又はゲルマニウムとによる陰イオンの放出を持続的に発揮させる効果がある。
【００４３】
遷移金属元素とは、元素の周期表において、Ｆｅ、Ｃｏ、Ｎｉのように一つにかたまっている３組元素、又はＬａからあるいはＨｆまでの希土類元素のように、性質が極めてよく似ているグループを一括した名称である。これらの元素は、互いに移り変わりやすい異なる原子価のイオンを作ることが共通しており、その原子構造は、いずれも電子の存在する一番外側の軌道よりも内側の軌道に電子の空席があるのが特徴である。この元素はすべて比重が大きく、融点が高くて金属としての性質を持つので、遷移金属と呼ばれることもある。
【００４４】
このように本考案の活性炭又は活性炭化物を使用した健康チューブは、本願炭化物を両端開口部を有する中空状の可撓性部材としての合成樹脂に練り込んで使用する等の本考案の要旨を逸脱しない範囲内において種々変更を加え得ることは勿論である。
【産業上の利用可能性】
【００４５】
本考案の活性炭又は活性炭化物２を用いた健康チューブは、マイナスイオン（陰イオン）作用により健康器具産業分野や介護福祉分野でも利用することが出来る。
【図面の簡単な説明】
【００４６】
【図１】本考案に係る第１の実施の形態の健康チューブの構成図である。
【図２】本考案に係る第２の実施の形態の健康チューブの構成図である。
【図３】本考案に係る第３の実施の形態の健康チューブの構成図である。
【図４】本考案に係る第４の実施の態様の健康チューブの構成図である。
【符号の説明】
【００４７】
１，１１，２１，３１…健康チューブ
２…活性炭又は活性炭化物
３，１３，２３…パイプ
３５…装飾用カバー
３６…アジャスター
【図１】
0003147403.tif 000004
【図２】
0003147403.tif 000005
【図３】
0003147403.tif 000006
【図４】
0003147403.tif 000007